(57)【要約】【課題】防水機能を保ちつつ、アンテナ交換を容易に行うことができるアンテナを提供する。【解決手段】携帯端末に搭載されるアンテナであって、アンテナ本体と、携帯端末筐体に装着する固定用保持金具と、前記アンテナ本体に装着する接続用保持金具と、を有し、前記固定用保持金具と前記接続用保持金具とが接続されて前記アンテナ本体が前記携帯端末筐体に装着されることを特徴とするアンテナ。前記固定用保持金具は、導電性材料からなり、前記接続用保持金具の一部が前記固定用保持金具と接触し、電気的に導通してもよい。【選択図】図１
2012222734.tif 000002
【特許請求の範囲】
【請求項１】
携帯端末に搭載されるアンテナであって、
アンテナ本体と、
携帯端末筐体に装着する固定用保持金具と、
前記アンテナ本体に装着する接続用保持金具と、を有し、
前記固定用保持金具と前記接続用保持金具とが接続されて前記アンテナ本体が前記携帯端末筐体に装着されることを特徴とするアンテナ。
【請求項２】
前記固定用保持金具は、導電性材料からなり、前記接続用保持金具の一部が前記固定用保持金具と接触し、電気的に導通することを特徴とする請求項１に記載のアンテナ。
【請求項３】
前記固定用保持金具と前記携帯端末筐体とは、インサート成形、溶着、圧入、螺子、前記固定用保持金具の前記携帯端末筐体への嵌着または嵌入のいずれか１つ以上により固定されることを特徴とする請求項１または２に記載のアンテナ。
【請求項４】
前記固定用保持金具と、前記携帯端末筐体との接続部は封止処理がされていることを特徴とする請求項１から３のいずれかに記載のアンテナ。
【請求項５】
前記固定用保持金具と前記携帯端末筐体との接続部に、Ｏリングまたは防水性のシートのいずれかを有することを特徴とする請求項１から４のいずれかに記載のアンテナ。
【請求項６】
前記固定用保持金具は、前記携帯端末筐体との接触箇所に給電面を有し、前記携帯端末筐体は前記給電面との接触箇所に筐体側給電端子を有し、前記アンテナ本体へ前記給電面及び前記筐体側給電端子を通じて給電することを特徴とする請求項１から５のいずれかに記載のアンテナ。
【請求項７】
前記固定用保持金具は、前記給電面にコイルユニットを有することを特徴とする請求項１から６のいずれかに記載のアンテナ。
【請求項８】
前記コイルユニットは、柔軟性のある樹脂材料により覆われ、前記携帯端末筐体への装着時に前記携帯端末筐体の接触箇所と密着することを特徴とする請求項７に記載のアンテナ。
【請求項９】
前記固定用保持金具は、前記コイルユニットを複数有することを特徴とする請求項７及び８のいずれかに記載のアンテナ。
【請求項１０】
前記固定用保持金具は、前記給電面にさらに保持金具側給電端子を有することを特徴とする請求項７及び８のいずれかに記載のアンテナ。
【請求項１１】
前記固定用保持金具と前記接続用保持金具は、接続時に間隙を有することを特徴とする請求項１に記載のアンテナ。
【請求項１２】
前記固定用保持金具は、前記筐体側給電端子と電気的に導通されることを特徴とする請求項１から１１のいずれかに記載のアンテナ。
【発明の詳細な説明】
【技術分野】
【０００１】
本発明は、アンテナに関し、より詳細には、防水仕様の携帯端末におけるアンテナに関する。
【背景技術】
【０００２】
近年、携帯端末、特に携帯電話機は広く普及し、日常の幅広い場面において使用されている。携帯端末において、通話やメールの着信は、時間及び場所を選ばない。そのため、雨の中、台所、トイレ、風呂等において着信があることも多く、そのため携帯端末において防水機能、生活防水程度の防水機能は標準機能となりつつある。
【０００３】
携帯端末について、防水機能を備えた防水仕様とする場合、携帯端末とアンテナとの装着部から液体が浸入しないよう、装着部を密閉状態とする必要がある。
【０００４】
防水仕様の携帯電話機にアンテナを組み付けた製品は、防水性能を保証するため、販売前に製造ラインにおいてアンテナの装着部の密閉状態を確認し、密閉状態にあることが確認された携帯電話機のみを販売する。これは、修理時においても同様であり、不注意により、アンテナを損傷させ、交換が必要になった場合、携帯電話機の修理を受け付けるショップでは密閉状態を確認できないため、店頭での交換ができず、防水機能を保証するための確認検査を携帯電話機製造メーカの技術者が行う必要があり、修理期間が長くなってしまうという問題があった。
【発明の概要】
【発明が解決しようとする課題】
【０００５】
そこで、本発明は、防水機能を保ちつつ、アンテナ交換を容易に行うことができるアンテナ構造を提供することを目的とする。これにより、アンテナの交換作業において、防水保証を保ちつつ、ショップにて交換が簡単にできる。
【０００６】
また、本発明においては、防水機能を備え、かつ目的の周波数帯域に合わせた送受信特性を得ることのできるアンテナ構造を提供することを目的とする。
【課題を解決するための手段】
【０００７】
上記課題を解決するために、本発明の一実施形態に係るアンテナは、携帯端末に搭載されるアンテナであって、アンテナ本体と、携帯端末筐体に装着する固定用保持金具と、アンテナ本体に装着する接続用保持金具と、を有し、前記固定用保持金具と前記接続用保持金具とが接続されて前記アンテナ本体が前記携帯端末筐体に装着されることを特徴とする。
【０００８】
前記固定用保持金具は、導電性材料からなり、前記接続用保持金具の一部が前記固定用保持金具と接触し、導通してもよい。
【０００９】
前記固定用保持金具と前記携帯端末筐体とは、インサート成形、溶着、圧入、螺子、前記固定用保持金具の前記携帯端末筐体への嵌着または嵌入のいずれか１つ以上により固定されてもよい。
【００１０】
前記固定用保持金具と、前記携帯端末筐体との接続部は封止処理がされてもよい。また、前記封止処理のため、Ｏリングまたは防水シートのいずれかを有してもよい。
【００１１】
前記固定用保持金具は、前記携帯端末筐体との接触箇所に給電面を有し、前記携帯端末筐体は前記給電面との接触箇所に筐体側給電端子を有し、前記アンテナ本体へ前記給電面及び前記筐体側給電端子を通じて給電してもよい。
【００１２】
前記固定用保持金具は、前記給電面にコイルを有してもよい。また、前記コイルは、柔軟性のある樹脂材料により覆われ、前記携帯端末筐体への装着時に前記携帯端末筐体の接触箇所と密着してもよい。前記固定用保持金具は、前記コイルを複数有してもよい。
【００１３】
前記固定用保持金具は、前記給電面にさらに保持金具側給電端子を有してもよい。
【００１４】
前記固定用保持金具と前記接続用保持金具は、接続時に間隙を有してもよい。
【００１５】
前記固定用保持金具は、前記筐体側給電端子と電気的に導通されてもよい。
【発明の効果】
【００１６】
本発明に係るアンテナによれば、防水保証を維持したままアンテナを着脱することができる。
【００１７】
また、本発明に係るアンテナによれば、簡易な構造で、高い防水機能を果たすことができる。
【００１８】
さらに、本発明に係るアンテナによれば、防水機能を備え、かつ目的の周波数帯域に合わせた送受信特性を得ることができる。
【図面の簡単な説明】
【００１９】
【図１】（ａ）は、本発明の一実施形態に係るアンテナの構成を示す概要図であり、（ｂ）はその固定保持部の拡大図である。
【図２】本発明の一実施形態に係るアンテナを筐体に装着した状態を示す構成図である。
【図３】本発明の一実施形態に係るアンテナにシートを設けた構成の概要を示す斜視図である。
【図４】本発明の一実施形態に係るアンテナにコイルユニットを設けた構成の概要を示す斜視図である。
【図５】本発明の一実施形態に係るアンテナに被覆コイルユニットを設けた構成を示す概要図であり、（ａ）はＯリング１個分を成形した図であり、（ｂ）はＯリング３個分を成形した図である。
【図６】本発明の他の実施形態に係るアンテナにおいて、固定保持部にコイル及び給電端子を設けた例を示す図であり、（ａ）は分解斜視図であり、（ｂ）はアンテナ部及び固定保持部を筐体部に装着した状態を示す断面図である。
【図７】本発明の他の実施形態に係るアンテナにおける筐体側ＲＦ回路からの電気的導通の構成を示す図である。
【図８】本発明の一実施形態に係るアンテナの構成を示す概要図であり、（ａ）はアンテナ部、固定保持部、筐体部が分離した状態、（ｂ）は固定保持部が筐体部に装着された状態、（ｃ）はアンテナ部、固定保持部が筐体部に装着された状態を示す。
【発明を実施するための形態】
【００２０】
図１及び図２を参照して、本発明の一実施形態に係るアンテナの構成を説明する。本発明の一実施形態に係るアンテナは、アンテナ部１００と、固定保持部２００と、筐体側接続部３００とを有する。
【００２１】
アンテナ部１００は、アンテナ本体１１０と、接続用保持金具１２０と、接続用保持金具取付ねじ１３０とを有する。
【００２２】
固定保持部２００は、固定用保持金具２１０と、固定用保持金具取付ねじ２２０と、封止材２３０と、固定用保持金具給電面２４０とを有する。
【００２３】
筐体側接続部３００は、筐体側給電端子３１０と、ねじ取付部３２０とを有し、いずれも筐体４００上に設けられる。
【００２４】
アンテナ本体１１０は、携帯端末において信号の受送信を行うための一般的なアンテナであり、接続用保持金具１２０と接続される。アンテナ本体１１０は、用途に応じて種々の形状を用いてもよい。
【００２５】
接続用保持金具１２０は、固定用保持金具２１０と、物理的に接続される。接続用保持金具１２０及び固定用保持金具２１０は、少なくとも互いに接触する箇所が導電性の材料からなり、電気的に導通する。接続用保持金具１２０及び固定用保持金具２１０には、例えば、ＳＵＳ材や鉄を含む鋼合金などのステンレス材、黄銅などの銅合金、亜鉛、アルミ、アルミ合金などが用いられるが、これに限られず導電性の材料であればよい。
【００２６】
なお、これと異なり、接続用保持金具１２０と固定用保持金具２１０との間には、接続した際に微小の空隙が設けられてもよい。微小な空隙を設けることにより、静電容量を得ることができる。この静電容量がコンデンサとしての機能を有するため、所望の周波数帯域に応じた送受信特性を得ることができる。
【００２７】
接続用保持金具１２０及び固定用保持金具２１０には、いずれも接続用保持金具取付ねじ１３０を貫通するための孔が開いており、接続用保持金具取付ねじ１３０が、接続用保持金具１２０及び固定用保持金具２１０を、それぞれの孔において貫通し、ねじ取付部３２０へとねじ止めされる。アンテナ部１００は、接続用保持金具取付ねじ１３０を複数有してもよく、その場合には、それに対応した数の孔及びねじ取付部３２０が設けられる。
【００２８】
固定用保持金具２１０には、固定用保持金具取付ねじ２２０を貫通するための孔が開いており、固定用保持金具取付ねじ２２０が、固定用保持金具２１０を、その孔において貫通し、ねじ取付部３２０へとねじ止めされる。図１及び図２において、固定保持部２００は、固定用保持金具取付ねじ２２０を２つ有するが、固定用保持金具取付ねじ２２０は、筐体側接続部３００へと固定用保持金具２１０を固定可能であれば、１つでもよく、また、３つ以上でもよい。それに対応して、孔及びねじ取付部３２０が設けられる。
【００２９】
接続用保持金具取付ねじ１３０や、固定用保持金具取付ねじ２２０は、例えばメートルねじやタッピングねじ等である。
【００３０】
ねじ取付部３２０は、接続用保持金具取付ねじ１３０や、固定用保持金具取付ねじ２２０に対応するナットであり、ねじ穴は筐体に埋めこまれている。そのため、ねじ取付部３２０からは筐体４００内部へと液体が浸入しない。
【００３１】
なお、固定用保持金具２１０と筐体４００とは、筐体側接続部３００のねじ取付部３２０におけるねじ止めだけでなく、より強固に固定し防水機能を高めるため、インサート成形、溶着、圧入により固定されてもよい。また、固定用保持金具２１０は筐体４００に嵌着・嵌入して固定してもよく、液体が浸入する隙間をなくすことにより筐体４００の防水機能が高まる。
【００３２】
固定保持部２００は、筐体側接続部３００との接触箇所に固定用保持金具給電面２４０を有し、筐体側接続部３００は給電面２４０との接触箇所にアンテナ本体１１０へと給電するための筐体側給電端子３１０のための孔を有する。前記アンテナ本体へは、給電面２４０及び筐体側給電端子３１０を通じて給電がなされる。筐体側給電端子３１０は、例えばバネ性をもった金属ピンまたは、金属板である。
【００３３】
給電面２４０において、液体の浸入を防止するため、封止材２３０が設けられる。封止材２３０は、例えばＯリングであり、給電面２４０と固定用保持金具２１０との間の隙間を塞いで液体が浸入しないようにする。Ｏリングには、例えばエストラマ等の柔軟性のある樹脂材料が用いられてもよい。
【００３４】
また、固定用保持金具２１０と接続用保持金具１２０との間に、図３に示すように防水性及び静電容量性を有するシート２５０を配置してもよく、これにより固定用保持金具２１０より内部へと液体を浸入することを防止することができ、固定保持部２００がより優れた防水機能を発揮することができる。防水シート２５０は、例えば樹脂製のシートでもよい。また、この場合には、固定用保持金具２１０と接続用保持金具１２０との間に空隙が設けられるから、上述したような静電容量を得ることもできる。なお、このとき、静電容量を得るためには、接続用保持金具取付ねじ１３０及び固定用保持金具取付ねじ２２０に非導電性の材料を用いるか、各ねじと各保持金具間に非導電性材料からなるワッシャー等を挿入して各ねじと各保持金具を非接触とする。
【００３５】
給電面２４０の代わりに、図４に示すように、コイル及びコイルを収納するケースを有するコイルユニット２６０が設けられてもよい。この場合、コイルユニット２６０の構造に応じて、コイルユニット２６０の下部または側面が給電面となる。コイルユニット２６０により、アンテナの電気的長さを延長することができ、複数の所望の周波数特性を備えたアンテナとすることができる。なお、コイルユニット２６０内のコイルの巻き数を変更することにより、アンテナの電気的長さを可変とすることができ、所望の周波数特性を備えたアンテナとすることができる。
【００３６】
なお、図４と異なり、複数のコイルユニット２６０を固定用保持金具２１０に取り付けてもよい。この場合、アンテナ本体１１０と複数のコイルユニット２６０において、各コイルユニット２６０ごとに所望のアンテナの電気的長さに対応させることができ、複数の所望の周波数特性を得ることができる。
【００３７】
また、図５に示すように、コイルユニットを柔軟性のある樹脂材料により被覆した被覆コイルユニット２７０を用いることで、Ｏリング等の封止材を別途設けることなく防水を行うことができる。すなわち、コイルユニットをエストラマ等の柔軟性のある樹脂材料により被覆することにより、樹脂材料が封止材としての役割を果たし、被覆コイルユニット２７０の箇所における筐体側への液体の浸入を防止することができるため、別途封止材を設ける必要がなくなる。また、筐体接続部３００の装着箇所の形状に応じて被覆する樹脂材料の形状を成形することが可能であり、これにより筐体接続部３００の装着箇所が円形以外のさまざまな形状を有していても、被覆コイルユニット２７０を筐体接続部３００に密着させることができるため、汎用性を有し、かつ高い防水機能を有するアンテナ接続用の部材を提供することができる。
【００３８】
なお、一例として、図５（ａ）で、筐体接続部３００の装着箇所が、Ｏリング１個の形状に対応した形状の場合、図５（ｂ）で筐体接続部３００の装着箇所がＯリング３個の形状に対応した形状の場合を示したが、これらの形状に限られない。
【００３９】
本発明の他の実施形態に係るアンテナにおいて、固定保持部にコイルユニット及び給電端子を設けてもよい。図６は、固定保持部にコイルユニット及び給電端子を設けた例を示す図であり、（ａ）は分解斜視図であり、（ｂ）はアンテナ部及び固定保持部を筐体部に装着した状態を示す断面図である。
【００４０】
図６を参照すると、固定保持部２００は、固定用保持金具２１０に、コイルユニット２６０とともに保持金具側給電端子２８０を有する。コイルユニット２６０と、保持金具側給電端子２８０とを、それぞれ大きく異なる周波数帯域に対して用いることにより、複数の所望の周波数帯域に対応して、複数の通信サービスを簡易な構造でユーザーに提供することができる。例えば、図６及び図７に示すように、保持金具側給電端子２８０の給電面２８５を第２の筐体側給電端子３３０と電気的に導通して、携帯電話・移動体端末向けの１セグメント部分受信サービスを利用するために利用し、コイルユニット２６０の給電面２６５を筐体側給電端子３１０と導通し、その他の通信サービス利用に用いてもよい。図７に示すように、コイルユニット２６０を、筐体側給電端子３１０と導通し、第１の筐体側ＲＦ回路４１０と接続し、保持金具側給電端子２８０を第２の筐体側給電端子３３０と導通し、第２の筐体側ＲＦ回路４２０と接続してもよい。第２の筐体側ＲＦ回路４２０は、携帯電話・移動体端末向けの１セグメント部分受信サービス用の回路であり、第１の筐体側ＲＦ回路４１０はその他の通信サービス用の回路である。
【００４１】
図６（ｂ）においては、固定用保持金具２１０の一部を、その上下から筐体４００により挟みこむ形状、すなわち筐体４００に固定用保持金具２１０が嵌入された形状としている。これにより、筐体４００における固定用保持金具２１０の取付のための部品点数を減らし、より固定用保持金具２１０と筐体４００との結合を強固にし、より防水性の高い構造とすることができる。
【００４２】
また、この場合、防水性のシート２９０を、固定用保持金具２１０と筐体４００との間に設け、コイルユニット２６０及び保持金具側給電端子２８０の設置個所から筐体４００内部への液体の浸入を防止し、筐体４００の防水性能を向上させてもよい。シート２９０により固定用保持金具２１０の下部のコイルユニット２６０及び保持金具側給電端子２８０の設置個所を覆うことにより、複数のＯリングをそれぞれの設置箇所に対して設ける必要がない。また、複数のＯリングを用いる場合と比べ、面状に封止ができるため、防水効果が向上する。
【００４３】
これにより、防水機能に優れ、かつ複数の所望の周波数帯域のサービスを利用可能な携帯端末を提供することができる。
【００４４】
図８は、本発明の一実施形態に係るアンテナの構成を示す概要図であり、（ａ）はアンテナ部、固定保持部、筐体が分離した状態、（ｂ）は固定保持部が筐体に装着された状態、（ｃ）はアンテナ部、固定保持部が筐体に装着された状態を示す。
【００４５】
通常、本発明の一実施形態に係るアンテナは、アンテナ部１００と、固定保持部２００とが、筐体側接続部３００を介して筐体４００に装着されている。装着時は、アンテナ部１００及び固定保持部２００は、筐体側接続部３００に対してねじ止めされ、アンテナと筐体とは固定された状態にある。また、固定保持部２００により筐体は防水されている。
【００４６】
図８（ａ）に示すように、アンテナ部１００と、固定保持部２００と、筐体側接続部３００及び筐体４００とは、それぞれ別々の部品として構成されており、それぞれが分離可能である。そのため、アンテナ部１００、固定保持部２００のメンテナンス性に優れている。
【００４７】
アンテナ部１００に何らかの損傷があった場合、例えばアンテナ本体１１０が折れたような場合、図８（ｂ）に示すように、アンテナ部１００のみを筐体４００から取り外し可能である。取り外しは、アンテナ部１００の接続用保持金具取付ねじ１３０をねじ取付部３２０から取り外すのみでよい。防水機能を有する固定保持部２００を取り外すことは不要であるため、依然として筐体４００は防水機能が検査された状態と変わることはない。また、アンテナ部１００の交換も単なるねじ止めのみで行うことができ、特別な技術を要することもなく、容易である。
【００４８】
以上により、携帯電話機の場合、新たに防水機能を保証するための確認検査を携帯電話機製造メーカの技術者が行う必要がなく、また、アンテナ部１００の着脱は容易であるから、ショップにおいてアンテナ部１００のみを交換することにより、従前と比べて修理期間を大幅に短縮することができるとともに、修理費用を削減することができる。
【符号の説明】
【００４９】
１００  アンテナ部
１１０  アンテナ本体
１２０  接続用保持金具
１３０  接続用保持金具取付ねじ
２００  固定保持部
２１０  固定用保持金具
２２０  固定用保持金具取付ねじ
２３０  封止材
２４０  固定用保持金具給電面
２５０、２９０  シート
２６０  コイルユニット
２７０  被覆コイルユニット
３００  筐体側接続部
３１０  筐体側給電端子
３２０  ねじ取付部
４００  端末筐体
【図１】
2012222734.tif 000003
【図２】
2012222734.tif 000004
【図３】
2012222734.tif 000005
【図４】
2012222734.tif 000006
【図５】
2012222734.tif 000007
【図６】
2012222734.tif 000008
【図７】
2012222734.tif 000009
【図８】
2012222734.tif 000010